(57)【特許請求の範囲】
【請求項１】
緊急の医療カウンセリングを救助者へ提供する方法であって:
第1の医療機器を移動局（60）に接続するステップと；
患者から記録される、第1の時間データ(32a)、第1の位置データ(34a)および第1の医療データ(36a)を含む第1のデータセット(30a)を、前記第1の医療機器によって、前記患者の第1の位置から前記移動局（60）に送信（340）するステップと；
前記第1の時間データ(32a)、前記第1の位置データ(34a)および前記第1の医療データ(36a)を含む前記第1のデータセット(30a)を、前記移動局（60）を通じて、前記患者の前記第1の位置からセントラルサーバ(150)に送信(340)するステップと;
前記移動局（60）および前記セントラルサーバ（150）によって、前記第1のデータセット(30a)を受け取るステップと；
前記移動局（60）および通信指令員の少なくとも一つによって、前記第1のデータセット(30a)にアクセスするステップと；
前記移動局（60）および前記通信指令員の少なくとも一つによって、前記第1のデータセット(30a)を評価するステップと；
前記移動局（60）および前記通信指令員の少なくとも一つによって、前記第1のデータセット(30a)に基づいて前記救助者へフィードバックを提供するステップと；
同じ前記患者から記録される、第2の時間データ(32b)、第2の位置データ(34b)および医療データ(36b)を含む、前記第1のデータセット(30a)とは異なる第2のデータセット(30b)を、前記第1の医療機器とは異なる第2の医療機器によって、第2の位置から前記セントラルサーバ(150)に送信(370)するステップと;
前記セントラルサーバ(150)によって、前記第1のデータセット(30a)および前記第2のデータセット(30b)を互いに独立して集めるステップと；
前記第1のデータセット(30a)と前記第2のデータセット(30b)とを関連づけ、その結果として、前記第1の医療機器および前記第2の医療機器によって送信される、同じ前記患者から記録される少なくとも前記第1の医療データ(36a)および前記第2の医療データ(36b)を含む医療履歴データセット(195)を取得するために、前記セントラルサーバ(150)において、前記第1の医療機器によって送信された前記第1の時間データ(32a)および前記第1の位置データ(34a)と、前記第2の医療機器によって送信された前記第2の時間データ(32b)および前記第2の位置データ(34b)とをマッチング(380)するステップであり、当該マッチングを、前記第1の医療機器からの前記第1の医療データ(36a)が、前記第2の医療機器から受け取った前記第2の医療データ(36b)と同じ前記患者に関連づけられていることを識別することにより行うステップと、を含む方法。
【請求項２】
前記セントラルサーバ(150)によって、前記医療履歴データセット(195)を、病院、医者、クリニックおよび緊急通信指令員の少なくとも1つへ送信するステップをさらに含む、請求項1の方法。
【請求項３】
前記第1の医療データ(36a)を送信する前に、医療機器(80)からデータ送信装置(60)へ、前記第1の医療データ(36a)を送信(330)するステップをさらに含む、請求項1の方法。
【請求項４】
緊急の医療カウンセリングを救助者へ提供するためのシステムであって:
移動局（60）であって、患者から記録される、第1の時間データ(32a)、第1の位置データ(34a)および第1の医療データ(36a)を含む第1のデータセット(30a)を、前記移動局（60）に接続された第1の医療機器によって、前記患者の第1の位置から受け取る移動局（60）と；
セントラルサーバ(150)であって、前記移動局（60）によって、前記患者の前記第1の位置から、前記第1の時間データ(32a)、前記第1の位置データ(34a)および前記第1の医療データ(36a)を含む前記第1のデータセット(30a)を受け取り、第2の医療機器によって、同じ前記患者の第2の位置から、前記第1のデータセット(30a)から独立して、同じ前記患者から記録される、第2の時間データ(32b)、第2の位置データ(34b)および医療データ(36b)を含む第2のデータセット（30b）を、受け取るセントラルサーバ(150)と;
前記第1のデータセット(30a)にアクセスして、制御信号を前記移動局（60）に送信するための救急サービスセンタ（180）であって、前記移動局（60）が、前記第1のデータセット(30a)に基づいて前記救助者へフィードバックを提供するためのものである、救急サービスセンタ（180）と、
プロセッサ(170)であって、前記第1のデータセット(30a)と前記第2のデータセット(30b)とを関連づけ、その結果として、前記第1の医療機器および前記第2の医療機器によって送信される、同じ前記患者の少なくとも前記第1の医療データ(36a)および前記第2の医療データ(36b)を含む医療履歴データセット(195)を取得するために、前記第1の医療機器によって送信された前記第1の時間データ(32a)および前記第1の位置データ(34a)と、前記第2の医療機器によって送信された前記第2の時間データ(32b)および前記第2の位置データ(34b)とをマッチングするプロセッサ(170)であり、当該マッチングを、前記第1の医療機器からの前記第1の医療データ(36a)が、前記第2の医療機器から受け取った前記第2の医療データ(36b)と同じ前記患者に関連づけられていることを識別することにより行うプロセッサ(170)と、を含むシステム。
【請求項５】
前記医療履歴データセット(195)を医者または緊急通信指令員に送信するためのデータ発信機(180)をさらに含む、請求項4のシステム。
【請求項６】
前記患者の上に配置されて前記第1の医療データ(32a)を生成するCPR装置(22)をさらに含む、請求項4〜5のいずれか1つのシステム。
【請求項７】
移動局(60)に、
救急サービスセンタ(180)と連絡させ;
前記移動局(60)とポータブル医療機器(22)との間で、患者から記録される第1の医療データ(36a)を送信するために、前記移動局(60)を前記ポータブル医療機器(22)に接続(330)させ;
前記患者の第1の時間データ(32a)および第1の位置データ(34a)を取得させ;
前記患者の前記第1の医療データ(36a)、前記第1の時間データ(32a)および前記第1の位置データ(34a)を送信(340)するために、前記移動局(60)をセントラルサーバ(150)に接続させ；
前記救助者へフィードバックを提供するために、前記救急サービスセンタ(180)から制御信号を受け取らせ；
前記セントラルサーバ(150)を通じて、前記第1のデータセット(30a)および前記第2のデータセット(30b)を互いに独立して集めさせるための、コンピュータ実行可能なインストラクションを有しており、
前記セントラルサーバ(150)が、前記第1の時間データ(32a)および前記第1の位置データ(34a)と、前記ポータブル医療機器(22)とは異なる少なくとも一つの機器によって同じ前記患者から記録されるさらなるデータセット(30)とのマッチングであり、当該マッチングを、前記第1の医療機器からの前記第1の医療データ(36a)が、前記第2の医療機器から受け取った前記第2の医療データ(36b)と同じ前記患者に関連づけられていることを識別することにより行うことで、同じ前記患者の並行発生的なデータセットを識別し、識別された同じ前記患者の前記並行発生的なデータセットを照合するように適合されている、非一時的なコンピュータ記憶媒体内に格納されたコンピュータプログラム。
【請求項８】
前記移動局(60)に、スピーカを通信指令員に接続させるためのコンピュータ実行可能なインストラクションをさらに含む、請求項7のコンピュータプログラム。
【請求項９】
緊急の医療カウンセリングを救助者へ提供するための移動局(60)であって:
データを格納するためのローカルメモリ(62)と:
第1の位置データ(34a)を取得するための第1の受信機(64)と;
第1の時間データ(32a)を生成するための時計(66)と;
CPRカード(22)から送信される第1の医療データ(36a)を受け取るための第2の受信機(67)と;
前記第1の位置データ(34a)および第1の時間データ(32a)と第2の位置データ(34b)および第2の時間データ(32b)とをマッチングして、並行発生的な第2の医療データ(36b)を識別するために、前記第1の医療データ(36a)および前記第1の位置データ(34a)を第1の時間データ(32a)と共にセントラルサーバ(150)に転送するための発信機(69)とを含む、移動局。
【請求項１０】
救急サービスセンタ(180)とのコミュニケーション用のスピーカ(63)およびマイクロフォン(65)の少なくとも1つをさらに含む、請求項9の移動局(60)。
【発明の詳細な説明】
【技術分野】
【０００１】
［関連する出願の相互参照］
無し
【０００２】
本発明は、患者を救援している救助者へ緊急の医療カウンセリングを提供するための方法およびシステム並びに移動局に関する。
【背景技術】
【０００３】
「救命の鎖」の概念は、発動されたときに、患者の心停止に関連した死亡率を実質的に引き下げる一連のアクションを意味する。しかしながら、救命の鎖は、その最も弱いリンクと同じくらいの強さにすぎない。救命の鎖における4つの相互依存するリンクは次のとおりである：i)患者への早急なアクセス、ii)患者に対する早急な心肺蘇生(CPR)、iii)早急な細動除去、およびiv)早急な2次心臓救命処置。患者の生存の機会が増加されることになるのであれば、これらのリンクの各々をサポートする必要がある。
【０００４】
理想的には、切迫した心停止を認識するその場に居合わせた人は、できるだけ早く救急サービスセンタと連絡を取るべきであり、また最も良く作用するために、CPRは、患者の虚脱後直ちに提供されるべきである。適切に行なわれたCPRが、心臓、脳および他の重要な器官を10〜12分間長く生存状態に維持することができることが知られており、それは実質的に生存の機会を増加させることができる。研究は、その場に居合わせた人または救助者のおよそ半分が、ある程度のCPRトレーニングを受けており、したがって早急なCPRを提供することができるであろうことを示している。しかしながら、CPRのトレーニングを受けたうちのおよそ3分の1だけが、心停止をこうむる患者に対して実際にCPRを行なった。この理由は多面的（multi-fold）である。その場に居合わせた人々はパニック状態にあり、危害を加えることを恐れているかもしれず、あるいは患者が心停止にあることを理解していない。したがって、CPRを正確に行なうように、これらその場に居合わせた人々を励ます必要がある。
【０００５】
その場に居合わせた人を救助者としてサポートする1つの方法は、通信指令員（dispatcher）からの援助を使用することである。特許文献１(Clawson)には、患者の潜在的な救助者に遠隔の緊急の医療相談を与える方法およびシステムが記載されている。それは、CPRのような患者に対する遠隔の緊急の医療相談を与えるための手続きのステップを通じて、救急医療サービスセンタ内にいる通信指令員が救助者をガイドすることを可能にするために、一連のフラッシュカードを使用する。このシステムはいくつかの救急医療センタにおいてインプリメントされているが、現在は、救助者またはもう一人のその場に居合わせた人との音声コミュニケーション以外に、CPRを進行中の通信指令員に対してフィードバックを提供しない。
【０００６】
特許文献２(Lurie et al.)は、医療施設から離れている位置において患者に医療処置を提供する方法を教示する。その方法は、患者の少なくとも1つのフィジカルパラメータがモニタ装置を用いてモニタされ、心拍数のようなフィジカルパラメータが、医療施設内に位置するセントラルコントローラに引き続き送信されることを提供する。患者に結合された治療器具を操作するために、コントローラから制御信号が送信される。しかしながら、この特許は、患者に救急医療を提供する際に救助者がサポートされるシステムを開示しない。
【先行技術文献】
【特許文献】
【０００７】
【特許文献１】米国特許第6,053,864号明細書
【特許文献２】米国特許第6,459,933号明細書
【発明の概要】
【課題を解決するための手段】
【０００８】
本開示は、緊急の医療カウンセリングを救助者へ提供する方法を教示し、方法は、第1の時間データ、第1の位置データおよび第1の医療データを含む、患者に関連するデータの第1のセットを、第1の位置からセントラルサーバの位置に送信することを含む。時間データ、位置データおよび医療データを含む、同じ患者に関連するデータの第2のセットもまた、第2の位置からセントラルサーバに提供される。セントラルサーバは、第1の時間データおよび第1の位置データと、第2の時間データおよび第2の位置データとをマッチングして、第1のデータセットと第2のデータセットとを関連づけ、その結果として、少なくとも第1の医療データおよび第2の医療データを含む、患者についての医療履歴データセットを得ることができる。少なくともある時点では、第1の位置と第2の位置とが実質的に同じになり、セントラルサーバがこのマッチングを決定することができるので、マッチングが生じる。
【０００９】
第1の位置データは、虚脱状態にある患者の位置を示す。その後、第1の医療データが、現場での救助者による処置からのデータに関連するであろう。第2の位置データは、救急サービスの車両が到着した場面の位置、または車両から患者へ運ばれた医療設備の位置に関連する。第2の医療データは、患者の場面において医療補助員から得られた医療データになるであろう。セントラルサーバは、互いに独立して集められた第1のデータセットおよび第2のデータセットを取得し、救急医療処置の手続きの完全な記録を提供するために、2つのデータセットを組み合わせることができる。これはその後、救急サービスの車両内の医療補助員に、あるいは患者が到着した病院または他の医療施設にいる医者に利用可能とすることができる。より良いトレーニング、より良い手続き、より良い設備、モチベーションおよび蘇生メカニズムの理解の向上により、医療ケアシステムを改善するために、完全な記録を使用することができる。
【００１０】
本開示はまた、自動化された救急医療の患者処置記録を提供するためのシステムを教示する。システムは、第1のデータセットおよび第2のデータセットを受け取るためのデータ受信機と、第1の時間データおよび第1の位置データと第2の時間データおよび第2の位置データとをマッチングさせるためのプロセッサとを含む。そして上記したように、これは第1のデータセットと第2のデータセットとを関連づけ、完全な医療履歴データセットを得ることを可能にする。
【００１１】
本発明の一態様では、第1の医療データは、圧迫の深さおよびレートを測定するために患者の胸の上に配置されたCPRカードから得られる。この第1の医療データは、通信指令員によるアクセスのためにセントラルサーバに提供される。第1の医療データは、例えばスマートフォンのような、データ受信機およびデータ発信機を有する移動局によって転送することができる。通信指令員はまた、スピーカおよび／または移動局から引き離されたマイクロフォンを通じて、救助者とコミュニケーションを取ることができる。
【図面の簡単な説明】
【００１２】
【図１】本開示に係るシステムの概要を示す。
【図２】データセットの一例を示す。
【図３】本開示に係る方法の概要を示す。
【発明を実施するための形態】
【００１３】
以下、図面に基づいて本発明を説明する。本明細書に述べられた発明の実施形態および態様は、単に一例を示し、請求項の保護範囲をなんら制限しないことが理解されるであろう。本発明は、請求項およびそれらの等価物によって定義される。発明の一態様または実施形態の特徴は、発明の異なる一態様または複数の態様および／または実施形態と組み合わされ得ることが理解されるであろう。
【００１４】
図1は、本開示のシステムの第1の態様を示す。本開示のこの態様では、患者100が既に虚脱しており救助者50に付き添われていると想定されている。救助者50が心肺機能蘇生法(CPR)のトレーニングを受けており、スマートフォン60を持っていると想定されるであろう。しかしながら、これは発明を制限することではなく、救助者50は、CPRのトレーニングを受けてはいないが、救急処置の幾分かの基礎知識を有することも想定できる。さらに、救助者50はスマートフォン60以外の装置を使用することもできる。例えば、救助者50は、救急サービス専用の無線装置、あるいは、タブレットまたはモバイルコンピュータのような、他のデータ送信装置を使用してもよい。これらの装置は一般に移動局60と称されるであろう。移動局60は、アプリケーションとも呼ばれるアプリケーションプログラムとデータとを格納するためのローカルメモリ62を含んでいる。移動局60はさらに、GPS信号から位置データを生成するためのGPS受信機または同様の位置決め手段64と、実時間を維持し時間データを生成するための時計66とを含んでいる。時間データはGPS信号からも得ることができることは知られているであろう。したがって、時計66はGPS受信機64の一部とすることもできる。時計66は、移動局60へ接続するセントラルサーバ内に配置されてもよい。これらに限定されないが、Bluetooth（登録商標）プロトコルを含む多くのプロトコルを通じてデータを受け取る受信機67が存在する。発信機69は、時間データおよび位置データを含むデータを転送することができる。
【００１５】
救助者は、いわゆるCPRカード22を装備していてもよい。CPRカード22は、例えばレールダルメディカル社によって製造され、(救助者50によって患者100の胸部を上下に押して)胸部圧迫のレートおよび深さを測定し記録することができる。この情報を記録するために、例えばCPRメータのような他の装置を使用することもできる。
【００１６】
スマートフォン60は、ローカルメモリ62内にアプリケーションプログラムが提供されるであろう。アプリケーションプログラムは、Google PlayまたはiTunes（登録商標）からのように、セントラルリポジトリ155から既にダウンロードされ、スマートフォン60にインストールされている。CPRカード22は、胸部圧迫のレートおよび深さに関連する第1の医療データ36aを、連続的にまたは規則的に、例えばBluetooth（登録商標）または同様のプロトコルによってスマートフォン60へ送信し、受信機67によって受信される。スマートフォン60は、第1のデータセット30として、CPRカード22から受信した第1の医療データ36aと、スマートフォン60によって受信したGPS信号または内部クロック66のいずれかから得た第1の時間データ32aと、GPSシステムまたは他の位置決め装置から得た第1の位置データ34aとを、発信機69を使用して連続的にまたは規則的に送信する。さらに制限することなく、音声データ、ビデオデータ、加速データ、温度データ、および光データもスマートフォン60によって記録され、第1の医療データ36aの一部として通信してもよい。
【００１７】
この第1のデータセット30aはセントラルサーバ150に送信され、データ受信機160で受信される。本発明のこの態様では、スマートフォン60とデータ受信機160との間の送信が移動体通信システムを使用して行なわれることが理解されるであろう。UMTS(3G)、LTE(4G)またはEDGE(2G)データ転送プロトコルなどのような、多くの異なるプロトコルを使用することが可能であろう。あるいは、ローカルに利用可能であればWi-Fi（登録商標）プロトコルを使用することができる。セントラルサーバ150は、医療履歴データセット195として、データベース内に第1のデータセット30aを格納する。医療履歴データセット195は、受信した第1のデータセット30aの連結（collocation）である。
【００１８】
医療履歴データセット195は、トレーニングされた医療関係者によってアクセスすることができる。本開示の一態様では、トレーニングされた医療関係者は、例えば病院180または他の医療施設のような救急サービスセンタに配属された、通信指令員を含むことができる。アクセスは通信リンク190を通じてなされる。通信指令員は、医療履歴データセット195をセントラルサーバ150から継続的に受け取ることができる。
【００１９】
本発明の一態様では、通信指令員は、スマートフォン60のスピーカ63によって、救助者50とコミュニケーションを取ることができる。コミュニケーションは移動体通信システムを通じてなされる。マイクロフォン65は、スマートフォン60に提供され、救助者50が通信指令員とコミュニケーションを取ることを可能にするために、スマートフォン60内のアプリケーションプログラムによってアクセスされることができる。さらなる一態様では、通信指令員は、スピーカ63、ビデオカメラ、加速度計、またはスマートフォン上の他のセンサの使用を可能にする制御信号をスマートフォン60へ送信することができ、それにより、センサからの情報は、通信指令員に伝達されて、通信指令員の正面のモニタ上に表示される実例のライブビデオとして、通信指令員にとって有用である。
【００２０】
スマートフォン60内に格納されたアプリケーションプログラムは、追加の特徴を提供することができる。例えば、アプリケーションプログラムは、CPRカード22(または他の装置)をスマートフォン60とペアにするために、スマートフォン60上のBluetooth（登録商標）インタフェースにアクセスすることができる。IEEE 802.xプロトコルのような他のプロトコルも、このコミュニケーションに使用することができる。アプリケーションプログラムはさらに、適切な緊急医療電話番号に電話をかけることができ、スマートフォン60の位置からこのことを決定することができる。アプリケーションプログラムはさらに、接続が確立された場合にスピーカ63を活性化し、同様に、スピーカのボリュームをハイレベルに設定し、スマートフォン60のディスプレイの照明を明るく設定する機能を有する。
【００２１】
通信指令員は、患者100の位置へ救急サービスの車両65を呼ぶ。通信指令員は、スマートフォン60から受信した第1の位置データ34aから、患者100の正確な位置座標を得ることができる。このことが、救急サービスの車両65が患者100の位置に速やかに到着することを可能にする。さらに、スマートフォン60の第1の位置データ34aと共に、緊急信号、または患者100が緊急の医療カウンセリングを要求している旨の他の指示を送信することにより、スマートフォン60上のアプリケーションプログラムが救急サービスの車両65を自動的に呼ぶことも可能である。
【００２２】
救急サービスの車両65は、救急サービスの車両65内にブロック80として概略的に示されているように、車両内に多くの医療機器を備えている。さらに、救急サービスの車両65は、データ受信機160を用いて、移動体通信リンクを通じて第2のデータセット30bを通信することができる。第2のデータセット30bは、医療機器80の第2のセットからの第2の医療データ36bを含み、第2の時間データ32bおよび第2の位置データ34bと共に、通信リンクを通じて救急サービスの車両60の位置から送信される。
【００２３】
セントラルサーバ150は、スマートフォン60からの第1の時間データ32aおよび第1の位置データ34aと、緊急車両65からの第2の時間データ32bおよび第2の位置データ34bとをマッチングすることができる。したがって、セントラルサーバ150は、スマートフォンからの第1の医療データ36aが、救急サービスの車両60から受信した第2の医療データ36bと同じ患者100に関連すると識別するであろう。したがって、セントラルサーバ150は、第1のデータセット30aと第2のデータセット30bとを互いにマッチングして、結合した医療履歴データセット195を作成することができる。
【００２４】
結合した医療履歴データセット195は、(上記したように)通信指令員に提供されるが、医療補助員にも、すなわち病院180または他の医療施設にいる間の場面では医者／医療管理者にも提供することができる。制限しない他の医療施設の例は、CARESまたはEUREKAのような、国立または国際的な心停止レジストリを含んでいる。病院180がクリニックまたは同種のものであってもよいことが認識されるであろう。
【００２５】
図2は、第1のデータセット30aおよび第2のデータセット30bの一例を示す。データセット30aおよび30bは、データセット30aおよび30b毎に、時間データ32aおよび32bと、位置データ34aおよび34bと、医療データ36aおよび36bの少なくとも1つとを含む少なくとも3つのデータフィールドを含む。医療データ36aおよび36bが、患者100の胸部圧迫の少なくともレートおよび深さに関連することが認識されるであろう。同様に、医療データ36aおよび36bが、心拍数のような他の医療パラメータに関連することができる。例えば、救急サービスの車両65は、細動除去器または呼吸プロフィールモニタのような他の装置を含むことができ、それは、呼気のCO2, O2飽和、吸気および呼気の呼吸量および同種のもの等といった標準パラメータと共に、患者の体温、ショックの伝達および他の医療イベントをモニタする。これらの装置からのこれら他の医療パラメータに関連するデータは、図2に示されない追加のデータフィールドに、第2の医療データ36bとして提供される。同様に、スマートフォン60がいくらかまたは同様のデータを送信し、CPRカード22に加えてポータブル医療機器から第1の医療データ36aを受け取ることが同様に可能である。
【００２６】
図3は、本発明の一態様に係る緊急の医療カウンセリングを提供する方法の概要を示す。ステップ300において手続きが開始する。患者100が虚脱する、またはそうでなければ医療的な苦痛のサインを示す、と想定されている。ステップ310において、救助者50は、アメリカにおける911、オーストラリアにおける000またはヨーロッパにおける112のような、救急サービスセンタ用の緊急電話番号に電話をかけるであろう。本開示の目的のために、救助者50はトレーニングされた救助者であり、彼または彼女のスマートフォン60上にアプリケーションプログラムを既にダウンロードしている、と想定されるであろうが、アプリケーションプログラムをリアルタイムにダウンロードすることもできる。上記したように、このアプリケーションプログラムは、救急サービス番号(911、000、112)に自動的に電話をかけ、かつスマートフォン60のマイクロフォンおよびスピーカを起動することもできる。ステップ315において、救助者50を救援することが可能な通信指令員への接続がなされる。
【００２７】
救助者50はCPRカード22を持っており、患者100の胸の上の適切な位置にこのCPRカード22を配置する。ステップ320において、CPRカード22は通信リンクを通じてスマートフォン60に接続する。その後、ステップ330において救助者50はCPRを開始し、ステップ340において、CPRカード22は胸部圧迫のレートおよび深さを測定し、このデータをスマートフォン60に送信する。救助者50が最適なやり方においてCPRを行なっていないことを示す医療データ36aを通信指令員が受け取った場合、救助者50は、胸部圧迫のレートおよび深さを変更するように、通信指令員によって助言される。CPRカード22は、CPRが正確に行なわれているという表示を含むこともできるが、通信指令員からの助言が有益である。本開示の一態様では、スマートフォン60は、彼または彼女のCPRの能力に関する直接的なフィードバックを救助者に提供することもできる。このフィードバックは、スマートフォン60のディスプレイ上で可視的であってもよく、スピーカ63を通じて可聴的であってもよく、あるいはそれらの両方であってもよい。
【００２８】
ステップ345において、通信指令員は医療補助員に通知し、ステップ350において、救急サービスの車両65において医療補助員が到着するであろう。救急サービスの車両65は、セントラルサーバ150に接続されており、患者100に隣接する位置への救急サービスの車両65の到着を、セントラルサーバに通知する。ステップ360において、救急サービスの車両65からの医療補助員は、救助者50に救援を提供する。医療補助員は、付加的な医療処置を提供し、患者に追加の医療機器80を取り付けることができる。さらにステップ370において、医療機器80は、セントラルサーバ150に第2のデータセット30bを送信することができる。セントラルサーバ150は、この第2のデータセット30bが同じ位置から到来し、第1のデータセット30aから受信したデータと並行的（concurrent）である、と識別することができる。セントラルサーバ150は、第1の位置データ34aおよび第2の位置データ34bと同様に、第1の時間データ32aおよび第2の時間データ32bのマッチングから、医療補助員が同じ患者100を取り扱っていると結論づけるであろう。セントラルサーバ150は、格納された第1のデータセット30aおよび第2のデータセット30bにアクセスするプロセッサ170を有しており、ステップ390において、結合した医療履歴データセット195を作成する。その後、病院への到着時に患者100の治療を可能とするために、医療履歴データセット195は、医療補助員および／または病院のどちらかに提供される。 
【図１】
0006362567.tif 000002
【図２】
0006362567.tif 000003
【図３】
0006362567.tif 000004